(57)【要約】      （修正有）【課題】漏れを防ぎ密封効果を強化する瓶蓋の密封構造を提供する。【解決手段】本瓶蓋の密封構造は、瓶蓋の内側環状体１０と側壁間に設置する環状物であり、該密封構造の断面形状は不等辺三角形とし、第一辺３２と第二辺３３が交じり合う箇所に円弧角３１を形成する。該第一辺の長さは第二辺を超え、第一辺と瓶蓋内側上面の交じり合う角度は９０度以上とし、第二辺と瓶蓋内側上面の交じり合う角度は９０度以下とする。瓶蓋と瓶口を結合する時、密封構造は、形状を変化させることなく緊密に瓶口の上面外側角を圧迫する。【選択図】図３
0003173398.tif 000002
【実用新案登録請求の範囲】
【請求項１】
瓶蓋の内側環状体と瓶蓋の側壁間に設置する一つの環状物である瓶蓋の密封構造であって、
該密封構造の断面形状を不等辺三角形とし、
第一辺と第二辺の交じり合う箇所には円弧角を形成し、
第一辺の長さは第二辺より長く、
第一辺と瓶蓋内側上面の交わる角度を９０度以上とし、
第二辺と瓶蓋内側上面の交わる角度を９０度以下とすることを特徴とする瓶蓋の密封構造。
【請求項２】
前記第一辺と第二辺と瓶蓋の内側上面の交じり合う境界には、第一境界点と第二境界点をそれぞれ形成し、第一境界点と第二境界点間の直線距離は密封構造の底辺として定義し、該密封構造の底辺の長さは密封構造の第二辺を超える長さとすることを特徴とする請求項１記載の瓶蓋の密封構造。
【請求項３】
前記瓶蓋と瓶口を結合する時、密封構造は第一辺によって瓶口上面の外側角を緊密に押さえることを特徴とする請求項１に記載の瓶蓋の密封構造。
【考案の詳細な説明】
【技術分野】
【０００１】
本考案は瓶蓋の密封構造に関し、より詳細には漏れを防止して密封効果を強化する瓶蓋の密封構造に関するものである。
【背景技術】
【０００２】
瓶蓋の多重密封構造の公知技術に関しては、特許文献１の中華民国実用新案公告第５８６５１１号、特許文献２の日本特開第２０００−１９１０１９号、特許文献３の日本特許第４６３４５９８号等において開示されている通りである。
【０００３】
前記特許文献１（第５８６５１１号）及び特許文献３（第４６３４５９８号）では、瓶蓋の内側面の下方向に緊密環状体及び下圧漏れ防止環状体を突設していて、蓋体を容器の瓶口に回転させて被嵌した時に、下圧漏れ防止環状体が瓶口の上部を圧して押さえ、緊密環状体が瓶口の外側縁と密着することにより、漏れ防止効果を発揮する。前述した二つの緊密環状体構造にあっては何れにも、それが生じさせる充分な変形量を許容する長さと形状を備えるが、形状変化の応力が緊密環状体と瓶蓋内の上面の連接箇所に発生し易く、さらに冷熱の温度変化の影響を受けた該緊密環状体が亀裂を生じて脱落する慮もある。
【０００４】
特許文献２（第２０００−１９１０１９号）では、瓶蓋の内側面の下方向に下圧漏れ防止環状体を突設していて、それと上述の下圧漏れ防止環状体の機能は同様であるが、下圧漏れ防止環状体の密封漏れ防止効果は上述した二つの特許と比べ明らかに劣るものである。
【先行技術文献】
【特許文献】
【０００５】
【特許文献１】中華民国実用新案公告第５８６５１１号明細書
【特許文献２】日本特開第２０００−１９１０１９号明細書
【特許文献３】日本特許第４６３４５９８号明細書
【考案の概要】
【考案が解決しようとする課題】
【０００６】
本考案は、公知技術の漏れ防止密封構造が内包する、容易に形状変化及び亀裂による脱落に起因した密封漏れ防止効果の消失問題を解決するためになされたもので、これらの問題を解決した新密封構造を提供することを目的とする。
【課題を解決するための手段】
【０００７】
本考案に係る瓶蓋の密封構造は、瓶蓋の内側環状体と側壁間に設ける環状物であり、該密封構造の断面形状は不等辺三角形とし、第一辺と第二辺の交じり合う箇所に円弧角を形成する。該第一辺の長さは第二辺を超え、第一辺と瓶蓋内側上面の交じり合う角度は９０度以上とし、第二辺と瓶蓋内側上面の交じり合う角度は９０度以下とする。
【考案の効果】
【０００８】
本考案の瓶蓋の密封構造において、瓶口と瓶蓋を結合した時に、該密封構造は形状変化を起こさずに該瓶口の上面外側角を緊密に圧迫する。
また、構造強度を前述した公知技術での緊密環状体と比較すると、本考案の密封構造の方が良好である。
本考案の密封構造は、熱膨張冷縮を受け止める効果を備えるため、応力集中による裂罅問題を防ぐことができる。
さらに、本考案の密封構造は構造強度及び安定性を備え、密封構造の漏れ防止効果を強化し、その持続性を確実に保つことができる。
【図面の簡単な説明】
【０００９】
【図１】本考案の瓶蓋の全体断面図である。
【図２】図１の一部拡大図である。
【図３】本考案の密封構造を示した図である。
【図４】瓶口と本考案の瓶蓋を結合させた一部断面図である。
【考案を実施するための形態】
【００１０】
以下図面を参照しながら本考案の実施例について説明する。
【実施例】
【００１１】
図１、図２、図３に示すとおり、本考案の密封構造３０は、瓶蓋２の内側環状体１０と該瓶蓋２の側壁１１間に設置し、瓶蓋内側上面３から下向きに突出する環状物である。
該密封構造３０の断面形状は不等辺三角形とする。
第一辺３２と第二辺３３の交じり合う箇所には円弧角３１を形成する。
第一辺３２の長さは第二辺３３より長い。
第一辺３２と瓶蓋２内側上面３の交わる角度は９０度以上とし、第二辺３３と瓶蓋２内側上面３の交わる角度は９０度以下とする。
また、第一辺３２と第二辺３３と瓶蓋２の内側上面３が交じり合う境界には、第一境界点３４と第二境界点３５をそれぞれ形成する。
尚、第一境界点３４と第二境界点３５間は一直線距離を備える。該直線距離は密封構造３０の底辺３６として定義し、該密封構造３０の底辺３６の長さは第二辺３３を超えるものとする。
【００１２】
図４には本考案の瓶蓋を瓶口に結合した状態の断面図を示す。
内側環状体１０を瓶口の内壁４１に密着させ、瓶口外壁４２のねじ山４３と瓶蓋２側壁１１のねじ山１２とを結合する。
密封構造３０の第一辺３２の長さが第二辺３３より長く、尚且つ、第一辺３２と瓶蓋２内側上面３の交わる角度が９０度を超える形状の特徴により、第一辺３２は動きに沿って瓶口上面の外側角４５を圧して押さえる。
また、第二辺３３と瓶蓋２内側上面３の交わる角度が９０度以下である特徴によって、密封構造３０は外側角４５に相対する作用力を生じさせて緊密に上部を圧して押さえるが、密封構造３０は形状変化を起こすことなく、応力が第一境界点３４と第二境界点３５に集中してしまう状況を防ぐことができる。
【００１３】
前述した従来技術に取り上げた緊密環状体と比較すると、本考案の密封構造３０は、構造強度と安定性が明らかに良好である。
本考案の密封構造３０は、熱膨張冷縮を受け止める効果を備え、かつ、底辺３６の長さが第二辺３３より長いため、大幅に密封構造３０の裂罅による脱落問題を減少させ、密封効果を強化し、その持久性を確実に保つことができる。
【符号の説明】
【００１４】
２            瓶蓋
３            瓶蓋内側上面
１０            内側環状体
１１            瓶蓋側壁
１２            ねじ山
３０            密封構造
３１            円弧角
３２            第一辺
３３            第二辺
３４            第一境界点
３５            第二境界点
３６            底辺
４１            瓶口内壁
４２            瓶口外壁
４３            ねじ山
４４            瓶口上面
４５            外側角
【図１】
0003173398.tif 000003
【図２】
0003173398.tif 000004
【図３】
0003173398.tif 000005
【図４】
0003173398.tif 000006